(57)【特許請求の範囲】
【請求項１】
断熱箱体と、
この断熱箱体の庫内を上下に区画するとともに、後ろ下がりに傾斜している天板と、
この天板の上方に形成される蓄冷剤室と、
前記天板の下方に形成される貯蔵室と、
前記天板の後端に上端が接続されているとともに、断熱箱体の後壁と間隔を有して配置されている背面板とを備えている断熱貯蔵庫。
【請求項２】
前記背面板に空気流通口が形成されていることを特徴とする請求項１記載の断熱貯蔵庫。
【請求項３】
断熱箱体と、
この断熱箱体の庫内の上側に配置されている蓄冷剤室と、
この蓄冷剤室に配置されている蓄冷剤用棚と、
上端が断熱箱体の天壁に固定され、下端が蓄冷剤用棚の中央部に係合して、この蓄冷剤用棚を吊り下げて支持するとともに、蓄冷剤用棚の上方の空間を複数の区画に仕切っている吊り仕切り部材と、
この吊り仕切り部材に形成されている空気流通口とを備えている断熱貯蔵庫。
【請求項４】
断熱箱体と、
この断熱箱体の庫内の上側に配置されている蓄冷剤室と、
この蓄冷剤室に配置されている蓄冷剤用棚と、
底板部および、この底板部の両端部から各々立ち上がっている側板部からなるとともに、各側板部の上端が蓄冷剤用棚の下面に固定されている断面略コの字状の棚補強部材と、
この棚補強部材の底板部に形成されている空気流通口と、
棚補強部材の底板部に対向する蓄冷剤用棚の部分に形成されている空気流通口とを備えている断熱貯蔵庫。
【発明の詳細な説明】
【０００１】
【発明の属する技術分野】
本発明は、蓄冷剤で庫内を冷却している断熱貯蔵庫に関する。
【０００２】
【従来の技術】
この種の従来の断熱貯蔵庫は、たとえば特開平５−１３３６５７号公報（Ｆ２５Ｄ３／００）などに記載されている。この様な断熱貯蔵庫の庫内の上部には、蓄冷剤用棚が設けられ、この蓄冷剤用棚に蓄冷剤が載置されて収納されている。そして、この蓄冷剤で冷却された冷気が下方に流れて、庫内に収納されている貯蔵品を保冷している。
【０００３】
【発明が解決しようとする課題】
ところで、蓄冷剤の表面に結露が発生し、この結露水が下方に落下して、貯蔵品を汚損することがある。そこで、蓄冷剤用棚の下方に露受け皿を配置することが検討されているが、この露受け皿が冷気の流れを妨げ、断熱貯蔵庫の庫内の冷却効率が低下する。
【０００４】
また、蓄冷剤用棚を軽量化するために、厚みをできる限り薄くしている。しかしながら、蓄冷剤用棚の厚みを薄くすると、重量のある蓄冷剤を収納した際に、蓄冷剤用棚の中央部が下方に撓む。そこで、蓄冷剤用棚の撓みを防止するために、補強材などを設けることが検討されているが、この補強材などが、冷気の流れを妨げ、断熱貯蔵庫の庫内の冷却効率が低下する。
【０００５】
本発明は、以上のような課題を解決するためのもので、冷気の流れを妨げることなく、結露水による貯蔵品の汚損や、蓄冷剤用棚の撓みを防止することができる断熱貯蔵庫を提供することを目的としている。
【０００６】
【課題を解決するための手段】
【０００７】
本出願の請求項１記載の発明の断熱貯蔵庫（１）は、断熱箱体（２）と、この断熱箱体の庫内（６）を上下に区画するとともに後ろ下がりに傾斜している天板（８）と、この天板の上方に形成される蓄冷剤室（１１）と、天板の下方に形成される貯蔵室（１２）と、天板の後端に上端が接続されているとともに断熱箱体の後壁（２ｃ）と間隔を有して配置されている背面板（６１）とを備えている。
【０００８】
請求項２記載の発明の断熱貯蔵庫は、請求項１記載の発明の断熱貯蔵庫の背面板に空気流通口（６４）が形成されている。
【０００９】
請求項３記載の発明の断熱貯蔵庫は、断熱箱体と、この断熱箱体の庫内の上側に配置されている蓄冷剤室と、この蓄冷剤室に配置されている蓄冷剤用棚（４７）と、蓄冷剤用棚の上方の空間を複数の区画に仕切っている吊り仕切り部材（５１）と、この吊り仕切り部材に形成されている空気流通口（５３）とを備えている。そして、吊り仕切り部材は、上端が断熱箱体の天壁に固定され、下端が蓄冷剤用棚の中央部に係合して、蓄冷剤用棚を吊り下げて支持している。
【００１０】
請求項４記載の発明の断熱貯蔵庫は、断熱箱体と、この断熱箱体の庫内の上側に配置されている蓄冷剤室と、この蓄冷剤室に配置されている蓄冷剤用棚と、底板部（５０ａ）およびこの底板部の両端部から各々立ち上がっている側板部（５０ｂ）からなるとともに、各側板部の上端が蓄冷剤用棚の下面に固定されている断面略コの字状の棚補強部材（５０）と、この棚補強部材の底板部に形成されている空気流通口（５０ｃ）と、棚補強部材の底板部に対向する蓄冷剤用棚の部分に形成されている空気流通口（４６）とを備えている。
【００１１】
【発明の実施の形態】
次に、本発明における断熱貯蔵庫の実施の一形態を図１ないし図１２を用いて説明する。図１は本発明にかかる断熱貯蔵庫の斜視図である。図２は図１の断熱貯蔵庫の断面図である。図３は蓄冷剤室前面扉が開いている断熱貯蔵庫の断面図である。図４は断熱貯蔵庫の前面扉を取り外した状態での蓄冷剤室前面扉の空気流通口が閉じている断熱貯蔵庫の正面図である。図５は断熱貯蔵庫の前面扉および蓄冷剤室の前面扉を取り外した状態での断熱貯蔵庫の正面図である。
【００１２】
図６は蓄冷剤室前面扉の説明図で、（ａ）が空気流通口が開いている蓄冷剤室前面扉の正面図、（ｂ）が空気流通口が閉じている蓄冷剤室前面扉の正面図である。図７は蓄冷剤室前面扉の説明図で、（ａ）が外板の正面図、（ｂ）が外板の右側面図、（ｃ）が内板の正面図、（ｄ）が内板の右側面図である。図８は吊り仕切り板の説明図で、（ａ）が左側面図、（ｂ）が正面図である。図９は天板の説明図で、（ａ）が平面図、（ｂ）が（ａ）の A-A断面図である。図１０は蓄冷剤用棚の説明図で、（ａ）が平面図、（ｂ）が（ａ）の A-A断面図である。図１１は蓄冷剤用棚と天板とが重なっている状態での平面図である。図１２は図１１の A-A断面図である。なお、図１１において、棚補強部材５０は図示されていない。
【００１３】
断熱貯蔵庫である保冷ボックス１は、前面が開口した断熱箱体２にて形成されている。この断熱箱体２には、左右一対の前面扉３がヒンジで回動可能に取り付けられ、この貯蔵庫の断熱扉である前面扉３が、保冷ボックス１の前面開口を開閉自在に閉塞している。そして、保冷ボックス１の内部空間すなわち庫内６は、天板８で上下に区画されており、断熱箱体２の天壁２ａと天板８との間の空間が蓄冷剤室１１となり、天板８の下方が貯蔵室１２となっている。この隔壁としての天板８は、奥側すなわち後側に行くほど下側となるように傾斜し、かつ、その左右両端部が断熱箱体２の左右側壁２ｂに固定されている。そして、ステンレス板などの金属板からなる天板８には、多数の貫通孔１３が略一面に形成され、空気が流通可能となっている。この空気流通口としての貫通孔１３は、バーリング加工により形成され、開口の周縁部は上方に突出している。また、天板８の後端は下方に折り曲げられ、フランジ１４が形成されている。
【００１４】
天板８の前端部には、蓄冷剤室１１の前面扉である内部前面扉１６が回動自在に取り付けられており、蓄冷剤室１１の前面の蓄冷剤収納取り出し用開口を開閉している。この内部前面扉１６は、図７（ａ）および図７（ｂ）に図示する外板１７と、図７（ｃ）および図７（ｄ）に図示する内板１８とからなっている。
【００１５】
外板１７は、ステンレス板などの金属板を板金加工して形成されており、左右に細長い前面板部２１と、この前面板部２１の上端から後方に折れ曲がって形成されている上壁２２と、この上壁２２の後端から下方に折れ曲がって形成されている上フランジ２３と、前面板部２１の下端から後方に折れ曲がって形成されている下壁２５と、この下壁２５の後端から上方に折れ曲がって形成されている下フランジ２６と、前面板部２１の右端から後方に折れ曲がって形成されている右壁２７とからなっている。そして、上フランジ２３と下フランジ２６との間は大きく開口し、また、右壁２７に対向している左側面は、開口している。略長方形の前面板部２１の中央部には、左右方向に長い長孔形状のスライド操作用穴３１が形成され、このスライド操作用穴３１の左右両側には各々、空気流通口としての長孔形状の多数の空気流通孔３２が略等ピッチで形成され、空気が流通可能となっている。
【００１６】
一方、内板１８は、ステンレス板などの金属板を断面コの字状に板金加工して形成され、上下幅は外板１７よりも少し小さく形成されている。そして、外板１７の左側面の開口から、内板１８を外板１７の内部すなわち前面板部２１と上下フランジ２３，２６との間に嵌め込むことができ、内板１８は外板１７にスライド可能に支持される。この内板１８には、外板１７のスライド操作用穴３１に対応する位置に丸穴形状のスライド操作穴３５が形成され、このスライド操作穴３５の左右両側に各々、長孔形状の多数の空気流通許容孔３６が略等ピッチで形成されている。
【００１７】
この空気流通許容孔３６は、外板１７の空気流通孔３２と略同じピッチで形成され、図６（ａ）に図示するように空気流通許容孔３６と空気流通孔３２との位置が合うと、空気の流通が許容され、一方、図６（ｂ）に図示するように空気流通許容孔３６と空気流通孔３２との位置がズレると、空気の流通が阻止されており、この様にして、内部前面扉１６の外板１７の空気流通孔３２は、内板１８により開閉されている。この空気流通許容孔３６の移動は、スライド操作穴３５に指などを挿入して、内板１８を左右にスライドさせて行われており、内板１８の右側への移動は、内板１８の右端が外板１７の右壁２７に当接することで規制され、一方、内板１８の左側への移動は、内板１８の左端が断熱箱体２の左側壁２ｂに当接することで規制されている。この内板１８の左右の移動量は、空気流通孔３２のピッチの略半分である。
【００１８】
この内部前面扉１６の上端には、たとえばバックルなどの固定金具４３が設けられており、この固定金具４３を断熱箱体２の天壁２ａに設けられているフックなどの係止具に係止させて、内部前面扉１６を、閉位置に固定することができる。この内部前面扉１６で開閉される蓄冷剤室１１の内部には、蓄冷剤４１を収納しているワイヤーバスケット４２が格納される。そして、内部前面扉１６が固定金具４３により固定されていないと、保冷ボックス１がトラックなどで運搬されている最中に、トラックの揺れなどで、バスケット４２が蓄冷剤室１１内で前後に移動し、内部前面扉１６を開けて、飛び出すことがある。したがって、内部前面扉１６が閉じている際には、固定金具４３で内部前面扉１６を固定し、一方、蓄冷剤室１１内にバスケット４２を格納したり、蓄冷剤室１１からバスケット４２を取り出したりする際には、固定金具４３の固定を解除して、内部前面扉１６を開けている。
【００１９】
また、天板８の上方には、蓄冷剤用棚４７が配設されている。このステンレス板などの金属板からなる板状の蓄冷剤用棚４７には、多数の貫通孔４８が略一面に形成され、空気が流通可能となっている。この空気流通口としての貫通孔４８は、バーリング加工により形成され、開口の周縁部は下方に突出している。また、蓄冷剤用棚４７には略長方形の係合孔４９が４個形成されている。
【００２０】
また、この蓄冷剤用棚４７の下面には、断面略コの字状の細長い棚補強部材５０が前後に各々一本左右方向に延在して設けられている。この棚補強部材５０は、底板部５０ａおよび、この底板部５０ａの前後両端部から各々立ち上がっている側板部５０ｂからなるとともに、各側板部５０ｂの上端が蓄冷剤用棚４７の下面に溶着されて固定されている。そして、棚補強部材５０の底板部５０ａには空気流通口としての貫通孔５０ｃが形成されている。また、蓄冷剤用棚４７本体にも、棚補強部材５０の底板部５０ａに対向する部分に、空気流通口としての貫通孔４６が形成されている。この蓄冷剤用棚４７の貫通孔４６は、平面図視すなわち上方から見て、棚補強部材５０の貫通孔５０ｃと略同じ位置に形成されている。なお、棚補強部材５０の貫通孔５０ｃは、蓄冷剤用棚４７の貫通孔４６よりも多数形成されているが、蓄冷剤用棚４７の貫通孔４６に対向していない貫通孔５０ｃは、棚補強部材５０を軽量化するための軽め穴である。
【００２１】
この様に形成されている蓄冷剤用棚４７は、その左右の両端部が断熱箱体２の左右側壁２ｂに固定されるとともに、中央部が２枚の吊り仕切り板５１で支持されている。この吊り仕切り部材である吊り仕切り板５１はステンレスなどの金属を板金加工しており、図８に図示するように、その上端は略水平に折り曲げられて、取り付けフランジ５１ａが形成され、下端にはフック状の係止部５１ｂが２個形成されている。そして、上端の取り付けフランジ５１ａが断熱箱体２の天壁２ａにビス止めされ、下端の係止部５１ｂが蓄冷剤用棚４７の係合孔４９に挿入されて係合している。この様にして、吊り仕切り板５１は、蓄冷剤用棚４７の中央部を吊り下げて支持している。そして、蓄冷剤室１１は、この２枚の吊り仕切り板５１で３個の区画５２に仕切られている。また、吊り仕切り板５１には、複数の貫通孔５３が形成され、この空気流通口としての貫通孔５３を通って、空気が隣接する区画５２間を流通することができる。
【００２２】
貯蔵室１２の背面側には、ダクト板６１が断熱箱体２の後壁２ｃと間隔を有して設けられ、背面板であるダクト板６１と断熱箱体２の後壁２ｃとの間の空間が冷気ダクト６３となっている。ダクト板６１の上端は、天板８の後端のフランジ１４に溶着などにより接続され、冷気ダクト６３の上端は蓄冷剤室１１と連通している。また、ダクト板６１の下端は略断熱箱体２の後壁２ｃの下端、すなわち貯蔵室１２の下端に略達している。このダクト板６１には、多数の貫通孔６４が形成され、空気が流通可能となっている。さらに、断熱箱体２の底壁２ｄの上面にはスノコ６６が着脱自在に載置されている。また、断熱箱体２の底壁２ｄの前側部分には排水孔６７が貫通し、この排水孔６７に排水パイプ６８が連結されている。
【００２３】
蓄冷剤室１１の各区画５２には各々、前述した蓄冷剤用バスケット４２が格納されている。この蓄冷剤用バスケット４２は、上面が開口したワイヤーバスケットで、左右および前後の４側面と底面とが、ステンレスなどの金属などからなるワイヤーで構成され、この蓄冷剤用バスケット４２の上面開口、４側面および底面を通って、空気が蓄冷剤用バスケット４２内と外とを自由に行き交うことができるように構成されている。また、蓄冷剤用バスケット４２の前面には、前側把手７１が略水平に前方に突出して設けられ、一方、蓄冷剤用バスケット４２の後面には、後側把手７２が略水平に後方に突出して設けられている。
【００２４】
この様に構成されている保冷ボックス１における空気および結露水の流れを、図２を用いて説明する。
蓄冷剤室１１の蓄冷剤４１で冷却された冷気は、図２において実線の矢印で図示するように、蓄冷剤用棚４７の貫通孔４６，４８（図１１および図１２参照）および天板８の貫通孔１３を通って下方に流れたり、冷気ダクト６３を通ってダクト板６１の貫通孔６４（図５参照）から前方に流れたりして、貯蔵室１２内に流入している。貯蔵室１２内の空気は段々と温まり、上昇している。そして、内部前面扉１６の空気流通孔３２が開いている場合には、貯蔵室１２の空気は、内部前面扉１６の空気流通孔３２などから蓄冷剤室１１に戻り、一方、内部前面扉１６の空気流通孔３２が閉じている場合には、天板８の貫通孔１３などから蓄冷剤室１１に戻っている。この様にして庫内６内の空気は、蓄冷剤４１で冷却されながら対流しており、貯蔵室１２内の貯蔵品は保冷されている。
【００２５】
ところで、空気流通孔３２が閉じている状態では、蓄冷剤室１１から貯蔵室１２へ降下する冷気の流れと、貯蔵室１２から蓄冷剤室１１へ上昇する温まった空気の流れとが、互いに干渉し合い、空気の流れが少なくなっている。一方、空気流通孔３２が開いている状態では、蓄冷剤室１１の冷気は、天板８の貫通孔１３や冷気ダクト６３の貫通孔６４を通って貯蔵室１２へ流れ、貯蔵室１２内の温まった空気は、内部前面扉１６の空気流通孔３２を通って蓄冷剤室１１内に流入している。したがって、蓄冷剤室１１から貯蔵室１２への冷気の流れと、貯蔵室１２から蓄冷剤室１１への温まっている空気の流れとが、互いに干渉することが少なくなる。その結果、空気が円滑に流れ、蓄冷剤室１１から貯蔵室１２に流れる冷気の量が格段に増大する。
【００２６】
また、蓄冷剤４１などにおいて結露が発生する。この結露水は、蓄冷剤用棚４７の貫通孔４６，４８を通って、天板８上に落下する。なお、蓄冷剤用棚４７の貫通孔４６，４８の位置と、天板８の貫通孔１３の位置とは、前述のようにズレているので、結露水が天板８の下方すなわち貯蔵室１２内に落ちることはあまりない。そして、天板８上に落下した結露水は、天板８上を後方に流れて、図２において破線の矢印で図示するように、冷気ダクト６３を通り、ついで、スノコ６６の下側すなわち断熱箱体２の底壁２ｄの上面を流れて、排水孔６７および排水パイプ６８を介して保冷ボックス１外に排出されている。したがって、蓄冷剤４１で発生した結露水が、貯蔵室１２内の貯蔵品に接触することが減少する。その結果、結露水で貯蔵品を汚損することを防止することができる。
【００２７】
この様に構成されている保冷ボックス１で、貯蔵品等を配送する際には、まずはじめに、蓄冷剤用バスケット４２に蓄冷剤４１を収納して、図示しない蓄冷剤凍結庫などで冷却する。そして、冷却された蓄冷剤４１を収納している蓄冷剤用バスケット４２を蓄冷剤凍結庫から取り出すとともに、保冷ボックス１の前面扉３および蓄冷剤室１１の前面扉である内部前面扉１６を開けて、この蓄冷剤用バスケット４２を蓄冷剤室１１の各区画５２に格納する。格納後、内部前面扉１６を閉じ、固定金具４３で内部前面扉１６を固定する。また、貯蔵室１２内には予冷した貯蔵品を収納して、前面扉３を閉じる。この配送の最初時期には、内部前面扉１６の空気流通孔３２は閉じておき、蓄冷剤４１の冷熱の消耗を少なくする。
【００２８】
そして、この貯蔵品を収納している保冷ボックス１をトラックなどに搭載して、保冷ボックス１の前面扉３を開閉しながら、貯蔵品を各営業所などに配送する。すると、貯蔵室１２内の貯蔵品が段々と減少し、貯蔵室１２内の空間が増大する。それにともなって、前面扉３を開けた際に貯蔵室１２に流入する外気が増大し、貯蔵室１２の庫内温度が段々と上昇する。そして、配送開始から配送終了までの配送期間の途中で、内部前面扉１６の内板１８を右にスライドさせ、空気流通孔３２の位置と空気流通許容孔３６の位置を合わせて、内部前面扉１６の空気流通孔３２を開ける。すると、蓄冷剤室１１からの冷気の流れが多くなり、冷却効率が向上するので、貯蔵室１２の庫内温度を、一旦大きく低下させることができる。この様にして、貯蔵室１２の庫内温度を、長期間低く保つことができる。
【００２９】
前述のように、実施の形態においては、天板８および蓄冷剤用棚４７の空気流通口である貫通孔１３，４８は、バーリング加工されており、開口の周縁部が上方または下方に突出している。この周縁の突出部で、天板８や蓄冷剤用棚４７を補強することができる。また、天板８の貫通孔１３の上方に突出している周縁部は、堰となり、天板８の上面を流れる結露水が、貫通孔１３から貯蔵室１２内に落下する事を防止している。
【００３０】
さらに、蓄冷剤室１１は吊り仕切り板５１で仕切られている。したがって、トラックなどによる搬送時における揺れ等で、蓄冷剤４１を収納している蓄冷剤用バスケット４２などが左右に移動することを吊り仕切り板５１で阻止することができる。その結果、蓄冷剤用バスケット４２などの横ズレを防止することができる。また、吊り仕切り板５１は蓄冷剤用バスケット４２などを収納する際のガイドとなる。この吊り仕切り板５１は、蓄冷剤用棚４７の中央部を吊り下げて支持しており、重量のある蓄冷剤４１が蓄冷剤用棚４７に載置された際に、蓄冷剤用棚４７の中央部が下方に撓むことを防止することができる。しかも、吊り仕切り板５１には貫通孔５３が形成され、冷気はこの貫通孔５３を通って円滑に流れることができる。
【００３１】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、空気流通口の形状は円形であるが、空気を流通させることができるならば、その形状や構造などは適宜変更可能である。
【００３２】
（２）実施の形態においては、天板８、蓄冷剤用棚４７、棚補強部材５０、吊り仕切り板５１やダクト板６１などは、ステンレス板などの金属板で構成されているが、その材質などは適宜変更可能である。たとえば、樹脂などで構成することも可能である。
（３）吊り仕切り部材の形状や取り付け構造などは適宜変更可能である。
【００３３】
（４）実施の形態においては、蓄冷剤４１は蓄冷剤用バスケット４２に収納されているが、蓄冷剤４１を蓄冷剤用バスケット４２などに収納しないで、直接蓄冷剤用棚４７上に載置することも可能である。
【００３４】
【発明の効果】
【００３５】
本出願の請求項１記載の発明によれば、天板が後ろ下がりに傾斜し、この天板の後端に、断熱箱体の後壁と間隔を有している背面板の上端が接続されている。したがって、蓄冷剤で発生し、天板に落下した結露水は、天板の上面に沿って後方に流れ、背面板と断熱箱体の後壁との間の空間を下方に落下する。その結果、結露水が貯蔵室内の貯蔵品に接触して汚損することが減少する。
【００３６】
請求項２記載の発明によれば、請求項１記載の発明の効果に加えて、背面板に空気流通口が形成されているので、背面板と断熱箱体の後壁との間の空間を、結露水の排水に使用するとともに、冷気ダクトとしても使用することができる。その結果、冷気は貯蔵室の背面からも貯蔵室内へ流入し、上方から流下した冷気とともに、貯蔵室を円滑に冷却することができる。
【００３７】
請求項３記載の発明によれば、吊り仕切り部材が蓄冷剤用棚の上方の空間を複数の区画に仕切っているので、配送中の揺れで、蓄冷剤の位置が移動することを防止することができる。また、蓄冷剤を蓄冷剤用棚上に収納する際に、吊り仕切り部材がガイドとなり、蓄冷剤を所定の位置に速やかに収納することができる。しかも、この吊り仕切り部材は蓄冷剤用棚を吊り下げて支持しており、蓄冷剤用棚が下方に撓むことを防止することができる。また、吊り仕切り部材に空気流通口が設けられているので、吊り仕切り部材が冷気の流れの妨げになることを防止することができる。
【００３８】
請求項４記載の発明によれば、蓄冷剤用棚の下面に棚補強部材が設けられているので、蓄冷剤用棚の剛性が向上する。したがって、蓄冷剤用棚本体を軽量化することができる。しかも、棚補強部材の底板部および、棚補強部材の底板部に対向する蓄冷剤用棚の部分に空気流通口が形成されており、蓄冷剤用棚上に収納されている蓄冷剤で冷却された冷気は、棚補強部材の空気流通口および蓄冷剤用棚の空気流通口を通って、円滑に降下することができ、棚補強部材が冷気の流れの妨げになることを防止することができる。
【図面の簡単な説明】
【図１】図１は本発明にかかる断熱貯蔵庫の斜視図である。
【図２】図２は図１の断熱貯蔵庫の断面図である。
【図３】図３は蓄冷剤室前面扉が開いている断熱貯蔵庫の断面図である。
【図４】図４は断熱貯蔵庫の前面扉を取り外した状態での蓄冷剤室前面扉の空気流通口が閉じている断熱貯蔵庫の正面図である。
【図５】図５は断熱貯蔵庫の前面扉および蓄冷剤室の前面扉を取り外した状態での断熱貯蔵庫の正面図である。
【図６】図６は蓄冷剤室前面扉の説明図で、（ａ）が空気流通口が開いている蓄冷剤室前面扉の正面図、（ｂ）が空気流通口が閉じている蓄冷剤室前面扉の正面図である。
【図７】図７は蓄冷剤室前面扉の説明図で、（ａ）が外板の正面図、（ｂ）が外板の右側面図、（ｃ）が内板の正面図、（ｄ）が内板の右側面図である。
【図８】図８は吊り仕切り板の説明図で、（ａ）が左側面図、（ｂ）が正面図である。
【図９】図９は天板の説明図で、（ａ）が平面図、（ｂ）が（ａ）の A-A断面図である。
【図１０】図１０は蓄冷剤用棚の説明図で、（ａ）が平面図、（ｂ）が（ａ）の A-A断面図である。
【図１１】図１１は蓄冷剤用棚と天板とが重なっている状態での平面図である。
【図１２】図１２は図１１の A-A断面図である。
【符号の説明】
１  保冷ボックス（断熱貯蔵庫）
２  断熱箱体
２ｃ  後壁
６  庫内
８  天板
１１  蓄冷剤室
１２  貯蔵室
１３  貫通孔（空気流通口）
４１  蓄冷剤
４６  貫通孔（空気流通口）
【図１】
0003615345.tif 000002
【図２】
0003615345.tif 000003
【図３】
0003615345.tif 000004
【図４】
0003615345.tif 000005
【図５】
0003615345.tif 000006
【図６】
0003615345.tif 000007
【図７】
0003615345.tif 000008
【図８】
0003615345.tif 000009
【図９】
0003615345.tif 000010
【図１０】
0003615345.tif 000011
【図１１】
0003615345.tif 000012
【図１２】
0003615345.tif 000013